(57)【特許請求の範囲】
【請求項１】
記録情報の読み取り、書き込み、消し込みが可能で宛先人の氏名や会員番号などの宛先人関連情報が書き込まれているＩＣチップ実装アンテナシートからなる非接触型データ送受信カードを有する封書を得るにあたり、
複数の紙片が折り部を介して連接されて折り重ね合わせにより封書を形成する封書用シートに、宛先情報と宛先人を特定するための機械読み取り情報とを印字するとともに、前記ＩＣチップ実装アンテナシートを貼る貼着面とは反対側の面に、前記宛先人関連情報の少なくとも一部情報を印字し、
前記貼着面にＩＣチップ実装アンテナシートを貼り付けて分離可能な非接触型データ送受信体カードを設けた後に、前記宛先情報と宛先人を特定するための機械読み取り情報とが表出するようにして、かつ前記一部情報が封書内方となるようにして封書用シートを折り重ね合わせて封書を形成し、
前記封書において表出する機械読み取り情報を読み取り、該機械読み取り情報に対応する宛先人関連情報を、前記非接触型データ送受信カードに非接触状態にして書き込んで記録させることを特徴とする非接触型データ送受信カード付き封書の作成方法。
【請求項２】
記録情報の読み取り、書き込み、消し込みが可能で宛先人の氏名や会員番号などの宛先人関連情報が書き込まれているＩＣチップ実装アンテナシートからなる非接触型データ送受信カードを有する封書を得るにあたり、
複数の紙片が折り部を介して連接されて折り重ね合わせにより封書を形成する封書用シートに、前記宛先人関連情報が書き込まれたＩＣチップ実装アンテナシートを貼り付けて分離可能な非接触型データ送受信カードを設け、
前記非接触型データ送受信カードから非接触状態にして読み取った宛先人関連情報に基づいて、前記封書用シートに宛先情報と宛先人を特定するための機械読み取り情報とを印字するとともに、前記非接触型データ送受信カードのＩＣチップ実装アンテナシート側とは反対側の面に宛先人関連情報の少なくとも一部情報を印字し、
前記宛先情報と宛先人を特定するための機械読み取り情報とが封書表出面に位置するようにして、かつ、前記宛先人関連情報の少なくとも一部情報が封書内方となるようにして封書用シートを折り重ね合わせて封書を形成することを特徴とする非接触型データ送受信カード付き封書の作成方法。
【発明の詳細な説明】
【０００１】
【発明の属する技術分野】
本発明は非接触型データ送受信カード付き封書とその作成方法に関するものである。
【０００２】
【発明が解決しようとする課題】
近年において各種情報を電子情報として記録できるとともにその記録情報が読み出せるＩＣカードなどの情報記録媒体が普及しており、各種金融機関や機器製造メーカー、サービス提供機関などが開催する展示会の入退場チェックに際して前記情報記録媒体が使用されるようになってきている。そして、このようなＩＣカードなどの情報記録媒体を顧客に送付するに際しては葉書に貼り付けたり封筒に入れたりして各顧客宛てに郵送するようにしている。その送付形態の一例として特開平１１−１１４９２号公報に示されているように封筒の宛先情報を記載した部分の裏面にカード製品を貼り付け、この箇所をカード製品とともに切り取り分離することで会員カードとして利用できるようにした点が示されている。
ところで、ＩＣカードなどは多くの情報を記録させることができて上述の会員カードに取付けたものでも会員の住所、氏名以外の多くの個人情報を記録したものとなっているが、会員カードとして目視できる情報は上記宛先情報のみで、会員番号、連絡先電話番号などは記載されず、表示情報が限定されたカードとなる不都合があった。勿論、前記会員番号や連絡先電話番号などは郵送時に部外者に見られないようにする秘匿情報として取り扱われるべきものであり、これらの個人情報を宛先情報とともに記載することができない。
【０００３】
そこで本発明は、非接触状態で記録情報の読み取り、書き込み、消し込みが可能であるＩＣチップ実装アンテナシートからなる非接触型データ送受信カードに注目したものであり、この非接触型データ送受信カードを有した封書において、非接触型データ送受信カードに設けた情報が封書内方となるようにすることを課題とし、ＩＣチップ実装アンテナシートを取り付けて分離可能とした非接触型データ送受信カードに、送付時に表出させない個人情報などを設け、その非接触型データ送受信カードを、受取人側において個人情報が表示された会員カードなどとして利用できるようにすることを目的とする。
【０００５】
【課題を解決するための手段】
本発明は上記課題を考慮してなされたもので、記録情報の読み取り、書き込み、消し込みが可能で宛先人の氏名や会員番号などの宛先人関連情報が書き込まれているＩＣチップ実装アンテナシートからなる非接触型データ送受信カードを有する封書を得るにあたり、複数の紙片が折り部を介して連接されて折り重ね合わせにより封書を形成する封書用シートに、宛先情報と宛先人を特定するための機械読み取り情報とを印字するとともに、前記ＩＣチップ実装アンテナシートを貼る貼着面とは反対側の面に、前記宛先人関連情報の少なくとも一部情報を印字し、前記貼着面にＩＣチップ実装アンテナシートを貼り付けて分離可能な非接触型データ送受信体カードを設けた後に、前記宛先情報と宛先人を特定するための機械読み取り情報とが表出するようにして、かつ前記一部情報が封書内方となるようにして封書用シートを折り重ね合わせて封書を形成し、前記封書において表出する機械読み取り情報を読み取り、該機械読み取り情報に対応する宛先人関連情報を、前記非接触型データ送受信カードに非接触状態にして書き込んで記録させることを特徴とする非接触型データ送受信カード付き封書の作成方法を提供して、上記課題を解消するものである。
【０００６】
さらに、もう一つの発明は、記録情報の読み取り、書き込み、消し込みが可能で宛先人の氏名や会員番号などの宛先人関連情報が書き込まれているＩＣチップ実装アンテナシートからなる非接触型データ送受信カードを有する封書を得るにあたり、複数の紙片が折り部を介して連接されて折り重ね合わせにより封書を形成する封書用シートに、前記宛先人関連情報が書き込まれたＩＣチップ実装アンテナシートを貼り付けて分離可能な非接触型データ送受信カードを設け、前記非接触型データ送受信カードから非接触状態にして読み取った宛先人関連情報に基づいて、前記封書用シートに宛先情報と宛先人を特定するための機械読み取り情報とを印字するとともに、前記非接触型データ送受信カードのＩＣチップ実装アンテナシート側とは反対側の面に宛先人関連情報の少なくとも一部情報を印字し、前記宛先情報と宛先人を特定するための機械読み取り情報とが封書表出面に位置するようにして、かつ、前記宛先人関連情報の少なくとも一部情報が封書内方となるようにして封書用シートを折り重ね合わせて封書を形成することを特徴とする非接触型データ送受信カード付き封書の作成方法を提供して、上記課題を解消するものである。
【０００８】
【発明の実施の形態】
つぎに本発明を図１から図７に示す実施の形態に基づいて詳細に説明する。
図中１は非接触型データ送受信カード付き封書で、該封書１は図１に示されているように封書上紙２と封書下紙３と封書中紙４との三枚の紙片が折り部５を介して連接された封書用シート６からなり、一方の端部側に位置する封書中紙４が封書内方となるようにして、この三紙片２、３、４を折り部５から折り重ね合わせし、折り部５と直交する方向の辺部を相互に貼り合わせるとともに、他方の端部側に位置する封書上紙２に連接された封緘片７を封書下紙３に貼り合わせることで封書１が形成されている（図３、図４参照）。
封書１を開封し易くするために、図１と図２に示されているように、折り部５に直交する辺部それぞれに沿って切り取りミシン目８が設けられているとともに、前記封緘片７側の折り部５を間にして二本の切り取りミシン目９が設けられており、切り取りミシン目８、９に沿って封書１の三方を分離することで開封できるものである。
なお、封書上紙２においては紙片連接方向での幅が他の紙片より大きく設けられていて、封書用シートを折り畳んで封緘片７で封緘したときに重なる上記切り取りミシン目９の位置に、上記封書下紙３や封書中紙４が達しないようにしている（図６参照）。
【０００９】
上記封書上紙２の封書表出面２ａには図４に示すように宛先情報１０が印字されているとともに、宛先人を特定するためのバーコードからなる機械読み取り情報１１が印字出力されているとともに、この封書上紙２の内面２ｂには開封して見ることのできる通知情報１２が印刷及び／または印字されており、この通知情報１２は挨拶文などの固定情報としたり、宛先人個々に内容の異なる可変情報としたりすることが可能である。
前記機械読み取り情報１１で表現される情報は、例えばこの封書１の差出人側が管理する顧客管理コードなどであり、これをバーコード化して前記機械読み取り情報１１としているものである。そして、機械読み取り情報１１から読み取られた情報（管理コードなど）は顧客氏名、会員番号、住所、連絡先電話番号、電子メールアドレスなどの宛先人関連情報に対応するものである。
なお、機械読み取り情報１１は封書上紙２の封書表出面２ａに印字させたものとして示したが、印字位置は封書上紙２の封書表出面２ａに限定されるものではなく、封書下紙３の表出面側であってもよい。
【００１０】
封書１において内方となる封書中紙４には図示されているように、ＩＣチップ実装アンテナシート１３を貼着して分離可能とした非接触型データ送受信カード１４が設けられており、ＩＣチップ実装アンテナシート１３が位置する側と反対側の面には、上記宛先人関連情報の一部情報１５として氏名、会員番号、連絡先電話番号などが印字されている。
ＩＣチップ実装アンテナシート１３は、基材１３ａの上に形成したアンテナ１３ｂにＩＣチップ１３ｃを実装してなり、記録情報の読み取り、書き込み、消し込みが非接触状態で可能な記録媒体である。そして、上述したように宛先人の氏名や会員番号、連絡先電話番号、電子メールアンドレスなどの宛先人関連情報が書き込まれている。
図２に示すようにこのＩＣチップ実装アンテナシート１３のアンテナ１３ｂ、ＩＣチップ１３ｃが位置する側に粘着剤ｓを介して被覆シート１６を貼り付けて覆うとともに、粘着剤ｓを介して被覆シート１６とＩＣチップ実装アンテナシート１３とを封書中紙４の所要の貼着面４ａに貼り付け、周囲に不連続な分断線１７を穿設することで、分離可能な非接触型データ送受信カード１４が設けられている。
【００１１】
このように非接触型データ送受信カード付き封書１では、ＩＣチップ実装アンテナシート１３を封書中紙４の貼着面４ａに貼り合わせて分離可能とした非接触型データ送受信カード１４が封書内方に位置し（図６（ア））、封書内方の前記非接触型データ送受信カード１４のＩＣチップ実装アンテナシート１３とは反対側の面に上記一部情報１５が印字されていることから、この封書１を受け取った側では開封した後に前記非接触型データ送受信カード１４を取り出すことで、単体のカードとして使用する際には一部情報１５を目視できるものとなり（図５参照）、また、ＩＣチップ実装アンテナシート１３に記録されている宛先人関連情報を非接触の状態で読み出せるものとなる。特に非接触型送受信カード１４に一部情報１５として多くの情報を印字することで利用価値の高いカードを得られるようになる。
勿論、非接触型データ送受信カード付き封書１では表出面に宛先情報１０と機械読み取り情報１１が印字され、それ以外の個人的な情報は送付の際に第三者の目にさらされず、プライバシーが守られる。
【００１２】
さらに、上記非接触型データ送受信カード付き封書１では、機械読み取り情報１１を読み取ることで、封書差し出し人側が予め管理している宛先人関連情報を特定できるとともに、この封書１に非接触の状態で非接触型データ送受信カード１４から宛先人関連情報を読み出すことができ、よって両者の対応が適切かどうかの検査を開封することなく簡単に行なえるようになる。
【００１３】
上記非接触型データ送受信カード付き封書１の非接触型データ送受信カード１４では、ＩＣチップ実装アンテナシート１３のアンテナ１３ｂ、ＩＣチップ１３ｃを覆うようにして被覆シート１６を取り付け、ＩＣチップ実装アンテナシート１３を間にするようにして封書中紙４の貼着面４ａに貼り合わせているが、図６（イ）に示すように、アンテナ１３ｂ、ＩＣチップ１３ｃ側を封書用シート６に密着させるようにしてＩＣチップ実装アンテナシート１３のみを貼着面４ａに貼り合わせるようにしてもよい。この場合、基材１３ａによってアンテナ１３ｂ、ＩＣチップ１３ｃを保護する。
さらに、図６（ウ）に示すように封書中紙４に対して台紙１８を連接し、この封書中紙４と台紙１８との間に粘着剤ｓを用いてＩＣチップ実装アンテナシート１３を挟み込むようにして着脱可能な非接触型データ送受信カード１４を設けるようにしてもよい。
【００１４】
つぎに非接触型データ送受信カード付き封書１は以下のようにして作成できる。
（通知情報の印字）
封書用シート６の封書内方となる面に宛先人への特定事項などの通知情報１２を印字する。
（可変情報の印字）
差出人側のデータベース上などで管理されている宛先人関連情報に基づいて、宛先情報１０と機械読み取り情報１１とを封書上紙２の封書表出面２ａに印字する。
なお、上記通知情報が宛先人それぞれで可変情報となっている場合には、この時点で上記宛先人関連情報に基づいて情報を変えながら通知情報１２を印字する。
（一部情報の印字）
同じく差出人側のデータベース上などで管理されている宛先人関連情報に基づいて一部情報１５を、貼着面４ａとは反対側の面に印字する。
（送受信体の貼り付け）
貼着面４ａにＩＣチップ実装アンテナシート１３を貼り付けて非接触型データ送受信カード１４を設ける。さらに被覆シート１６でＩＣチップ実装アンテナシート１３を被覆接着する。
【００１５】
（分断線入れ）
被覆シート１６側から枠状の分断線１７を入れて非接触型データ送受信カード１４を分離可能にする。
（シート折り畳み）
上記封書表出面２ａが外面となるように、即ち、宛先情報１０と機械読み取り情報１１とが表出するようにして、また、一部情報１５が封書内方となるようにして封書用シート６を折り重ね合わせて、折り部５と直交する辺部を貼り合わせし、上記封緘片７を封書下紙３の封書表出面側に貼り合わせる。
（情報書き込み）
封書１の機械読み取り情報１１を読み取り、該機械読み取り情報１１に対応する宛先人関連情報を、封書１内の非接触型データ送受信カード１４に非接触状態にして書き込んで記録させる。これによって、前記非接触型データ送受信カード１４に宛先人関連情報の一部情報を目視できる状態にして設けるとともに、外方からはその一部情報を見えないようにした封書１が得られる。
【００１６】
上記方法においては封書化した後に宛先人関連情報を非接触型データ送受信カード１４に記録させるようにしたが、予め宛先人関連情報が記録されているＩＣチップ実装アンテナシート１３を貼り付けるようにしてもよい。この場合は以下のようにして封書１を得ることができる。
（通知情報の印字）
封書用シート６の封書内方となる面に宛先人への特定事項などの通知情報１２を印字する。
（送受信体の貼り付け）
差出人側のデータベース上などで管理されている宛先人関連情報が予め書き込まれたＩＣチップ実装アンテナシート１３を貼着面４ａに貼り付けて非接触型データ送受信カード１４を設ける。さらに、被覆シート１６でＩＣチップ実装アンテナシート１３を被覆接着する。
（分断線入れ）
被覆シート１６側から枠状の分断線１７を入れてこの非接触型データ送受信カード１４を分離可能にする。
【００１７】
（可変情報の印字）
ＩＣチップ実装アンテナシート１３から非接触状態にして宛先人関連情報を読み取る。そしてその宛先人関連情報に基づいて、封書上紙２の封書表出面２ａに宛先情報１０と機械読み取り情報１１とを印字する。
また、上記通知情報１２が宛先人それぞれで可変情報である場合には、この時点で、その宛先人関連情報に基づいて情報を変えて印字する。
（一部情報の印字）
貼着面４ａとは反対側の面に、同じく読み取った宛先人関連情報に基づいて一部情報１５を印字する。
（シート折り畳み）
封書表出面２ａが外面となるようにして、また、一部情報１５が封書内方となるようにして封書用シート６を折り重ね合わせて、折り部５と直交する辺部を貼り合わせし、上記封緘片７を封書下紙３の封書表出面側に貼り合わせる。
これによって、前記非接触型データ送受信カード１４に宛先人関連情報の一部情報を目視できる状態にして設けるとともに、外方からはその一部情報を見えないようにした封書１が得られる。
【００１９】
上記各実施の例では封書用シートを巻き折り状にして封書内方に位置する紙片に非接触型データ送受信カードを形成し、その非接触型データ送受信カードに設けた一部情報が封書外方から見えないようにしたものであるが、図７に示すように封書用シート６を封書上紙２と封書下紙３とからなる二つ折り形態のものとし、その何れか一方の紙片に、一部情報が封書内方となるようにして非接触型データ送受信カード１４を分離可能に設けるようにしてもよい。即ち、ＩＣチップ実装アンテナシート１３が封書下紙３と密着して基材１３ａが表出するようにしたり（ＩＣチップ、アンテナは封書下紙側）、被覆シート１６でＩＣチップ実装アンテナシート１３を保護するようにしてもよい。
【００２０】
【発明の効果】
以上説明した本発明により、宛先人の氏名や会員番号、連絡先電話番号などが設けられた非接触型データ送受信カードが封書に一体的に設けられ、かつ、その氏名や会員番号、連絡先電話番号などの情報を封書外部にさらさない状態の封書となり、送付過程での宛先人のプライバシーを守ることができるとともに、この封書を受け取って非接触型データ送受信カードを分離すれば、非接触で宛先人関連情報を読み取れるとともに、氏名や会員番号、連絡先電話番号などの情報を目視にて簡単に確認できるカードとなり、非接触形データ送受信カードの汎用性が頗る向上するようになる。
【００２１】
また、封書用シートの紙片にＩＣチップ実装アンテナシートを貼り合わせてその紙片中に非接触型データ送受信カードを分離可能に区分形成しているので、ＩＣチップ実装アンテナシートにカバーシートを積層した完成品としての非接触型データ送受信カードを予め用意する必要がなく、非接触型データ送受信カード付き封書を低コストで作成できるようになるなど、実用性に優れた効果を奏するものである。
【図面の簡単な説明】
【図１】本発明に係る非接触型データ送受信カード付き封書の封書用シートを展開した状態で示す説明図である。
【図２】封書用シートを図１のＩＩ−ＩＩ線に沿った断面で示す説明図である。
【図３】封書中紙を折り重ねた状態を示す説明図である。
【図４】封書を示す説明図である。
【図５】非接触型データ送受信カードを示す説明図である。
【図６】非接触型データ送受信カードを断面で示すもので、（ア）は被覆シートにＩＣチップとアンテナとが覆われたＩＣチップ実装アンテナシートを貼着したものを示す説明図、（イ）はＩＣチップとアンテナとの配設面側を封書中紙に面しさせてＩＣチップ実装アンテナシートを貼り付けたものを示す説明図、（ウ）はＩＣチップ実装アンテナシートを封書用シートに連接する台紙の間に挟み込みしたものを示す説明図である。
【図７】他の実施の例を示す説明図である。
【符号の説明】
１…非接触型データ送受信体付き封書
２…封書上紙
２ａ…封書表出面
３…封書下紙
４…封書中紙
４ａ…貼着面
６…封書用シート
１０…宛先情報
１１…機械読み取り情報
１２…通知情報
１３…ＩＣチップ実装アンテナシート
１４…非接触型データ送受信カード
１５…一部情報
１６…被覆シート
１７…分断線
【図１】
0004641351.tif 000002
【図２】
0004641351.tif 000003
【図３】
0004641351.tif 000004
【図４】
0004641351.tif 000005
【図５】
0004641351.tif 000006
【図６】
0004641351.tif 000007
【図７】
0004641351.tif 000008